(57)【要約】  通信装置（１００）であって、本体部（１１０）と、その本体部に回転可能に接続されたディスプレイ部（１３０）とを備える。本体部（１１０）に対するディスプレイ部（１３０）の回転に応えて内側透過‐反射双安定層（１４１）及び外側透過‐反射双安定層（１４２）のモードを反転させるようにスイッチ（１６０、１６１、１６２、１６３、１６４）が動作可能である。
2007501422.tif 000002
【特許請求の範囲】
【請求項１】
通信装置であって、
本体部と、
前記本体部に回転可能に接続されており、かつ、内側透過‐反射双安定層と外側透過‐反射双安定層とを有しするディスプレイ部と、
前記本体部に対する前記ディスプレイ部の回転に反応して内側透過‐反射双安定層のモードと外側透過‐反射双安定層のモードとを反転させるように動作可能なスイッチと
を備えた装置。
【請求項２】
前記ディスプレイ部が更に、前記内側透過‐反射双安定層と前記外側透過‐反射双安定層との間に配置されたＬＣＤ積層を備えた請求項１に記載の装置。
【請求項３】
前記内側透過‐反射双安定層の双安定モードと前記外側透過‐反射双安定層の双安定モードとが逆の双安定モードになっている請求項１に記載の装置。
【請求項４】
請求項１に記載の通信装置であって、
前記ＬＣＤ積層上の画像を回転させるよう前記ディスプレイに電気的に接続された制御装置を更に備え、前記回転に応えて前記スイッチが、前記ＬＣＤ積層上の画像を回転させるよう前記制御装置に知らせるように動作可能な、通信装置。
【請求項５】
請求項３に記載の通信装置であって、
前記画像が文字及び数字を含んだ通信装置。
【請求項６】
請求項３に記載の通信装置であって、
前記通信装置のディスプレイ部を本体部に回転可能に接続するヒンジを更に備え、前記ヒンジが回転軸を有し、前記画像が前記ヒンジの回転軸と平行な軸を中心に回転する、通信装置。
【請求項７】
前記内側透過‐反射双安定層が、前記ディスプレイが開いた状態のとき透過性であり、前記ディスプレイが閉じた状態のとき反射性である請求項１に記載の通信装置。
【請求項８】
前記外側透過‐反射双安定層が、前記ディスプレイ部が開いた状態のとき反射性であり、前記ディスプレイ部が閉じた状態のとき透過性である請求項５に記載の通信装置。
【請求項９】
通信装置のディスプレイに情報を表示する方法であって、前記方法が、
前記通信装置の本体部に対する前記ディスプレイの回転に反応して、前記ディスプレイの内側透過‐反射双安定層と外側透過‐反射双安定層とに反転モード信号を送る工程を含み、前記反転モード信号に反応して前記外側透過‐反射双安定層のモードと前記内側透過‐反射双安定層のモードとを反転させる、方法。
【発明の詳細な説明】
【技術分野】
【０００１】
本発明は一般に通信装置のディスプレイに関する。より具体的には本発明は、ディスプレイの角度位置に応じて、同一の画像をディスプレイの表裏のどちらの面でも見ることのできる通信装置のディスプレイに関する。
【背景技術】
【０００２】
液晶ディスプレイ（ＬＣＤ）が多くの通信装置で用いられており、例えば、テレビ受像機、コンピュータ画面、ＰＤＡ、全地球測位システム（ＧＰＳ）、ラップトップコンピュータ、携帯電話機、デジタルカメラ、車や飛行機などの車両のビデオ画面、およびその他の通信装置などで用いられている。ＬＣＤは、ガラスやプラスチックや金属膜や有機膜などの材料の層又は層の一部分を積層することにより形成されている。ＬＣＤには反射層と透過層の両層があり、これらの層が他種の層と組み合わされることで、ディスプレイ積層の一方の面で画像を見るようになる。蓋を開けるメカニズムの折りたたみ型携帯電話機などのヒンジ式装置では、電話機を開けずに観察者が発信者ＩＤ番号やテキストメッセージや写真などの画像を見ようとする場合と、更に折りたたみ型携帯電話機を開けて画像を見ようとする場合との、２つのＬＣＤが必要である。
【発明の開示】
【発明が解決しようとする課題】
【０００３】
折りたたみ型携帯電話機や同様の装置で１つのディスプレイで画像を提供できるよう、ディスプレイの一方の面からでも他方の面からでも画像を見ることができれば望ましい。
【課題を解決するための手段】
【０００４】
本発明の一態様が提供する通信装置は、本体部と、この本体部に回転可能に接続されたディスプレイ部とを備えている。本体部に対するディスプレイ部の回転に対応して、内側透過‐反射双安定層のモードと外側透過‐反射双安定層のモードとを反転させるよう、スイッチが動作可能である。
【０００５】
本発明の別の態様が、通信装置のディスプレイに情報を表示する方法である。この方法が、通信装置の本体部に対するディスプレイの回転に応えてディスプレイの内側透過‐反射双安定層と外側透過‐反射双安定層とに反転モード信号を送る工程を含む。反転モード信号に応えて外側透過‐反射双安定層のモードと内側透過‐反射双安定層のモードとを反転させる。
【０００６】
本発明の第三の態様が提供するのはコンピュータで使用できる媒体であり、この媒体がコンピュータプログラムを保存しており、このコンピュータプログラムが、回路により制御されている画素からなるアレイの画像を識別する為のコンピュータ可読コードと、スイッチの始動に応えて上記の回路に電気的に接続されたプロセッサに回転モード信号を供給する為のコンピュータ可読コードとを含む。
【発明を実施するための最良の形態】
【０００７】
上記の装置及び他の装置、並びに本発明の特質及び利点が、以下の好適な実施形態の詳細な記述を添付の図面を併用して読むことで更に明白になる。この詳細な記述及び図面は本発明の単なる実例であり、添付の請求項及びその同等物により規定されている本発明の範囲を制限するものではない。
【０００８】
本発明は添付の図面で限定ではなく例として図示され、同じ参照記号が同様な要素を指
し示している。
図１が図示しているのは、第１の実施形態の通信装置１００の閉じた状態の側面図である。本体部１１０とディスプレイ部１３０とがヒンジ１２０で取り付けられている。通信装置１００のディスプレイ部１３０内部にディスプレイ１４０が配置されている。通信装置が閉じているときにディスプレイ１４０の上方に矢印のある面からディスプレイ１４０を見る為に、ディスプレイ部１３０には開口部１３２がある。本発明の別の実施形態では、開口部１３２内に、ディスプレイ１４０を見やすくする為及び／又は保護する為、レンズ又は透明な材料、例えば、ガラスやプラスチックや水晶などが配置されている場合もある。通信装置が閉じているときディスプレイ１４０と本体部１１０との間には、ディスプレイ部１３０のもう一つの開口部１３４がある。本体部１１０の内部にスイッチ１６０の一部があり、本体部１１０とディスプレイ部１３０との間の区域内にもスイッチ１６０の一部がある。側面から見ると接続ヒンジ１２０には中心領域１２５がある。回転軸（図示せず）がヒンジ１２０に対して垂直であり中心領域１２５を貫通している。
【０００９】
図２が図示しているのは、第１の実施形態の通信装置１００の閉じた状態の斜視図である。本体部１１０とディスプレイ部１３０とが、ヒンジ１２０の中心領域１２５に対して垂直な断続線として示された回転軸を持つヒンジ１２０で接続されていることが分かる。このようにディスプレイ１４０に対し斜めから見ると、画像１７０と画像１７５とが見える。画像「ａ」１７０がディスプレイ１４０の左上隅に確認され、画像「７」１７５がディスプレイ１４０右側の上面と底面との中ほどに見える。これらの画像は開口部１３２（図１）を通して見える。画像は、文字や、数や、写真画像や、ビデオ画像などでよい。
【００１０】
図３が図示する第１の実施形態の通信装置１００の側面図は、本体部１１０とディスプレイ部１３０とがヒンジ１２０の中心領域１２５を中心に回転した後の開いた状態である。回転軸（図２）はヒンジ１２０に対して垂直であり中心領域１２５を貫通している。通信装置１００のディスプレイ部１３０内部にディスプレイ１４０が配置されている。通信装置が開いた状態のときにディスプレイ１４０を指す矢印のある面からディスプレイ１４０を見る為に、ディスプレイ部１３０には開口部１３４がある。本発明の別の実施形態では、開口部１３４に、ディスプレイ１４０を見やすくする為及び／又は保護する為、レンズ又は光学的に透明な材料、例えば、ガラスやプラスチックや水晶などが配置されている場合もある。図２では見えた画像１７０と画像１７５とは開口部１３２を通しては見ることはできないが、ディスプレイ１４０を指す水平な矢印のある面から確認される。開口部１３２と開口部１３４とではサイズ及び形状が同一であってもよいし異なっていてもよい。ここでスイッチ１６０（図１）が二つに分かれていることが分かる。ディスプレイ部１３０にディスプレイ側スイッチ１６３があり、本体部１１０に本体側スイッチ１６２がある。ディスプレイ側のスイッチ１６３と本体側のスイッチ１６２とが、通信装置１００が開いた状態のときは互いの上方にあるよう、又は、通信装置１００が閉じた状態のときは互いに接触しているよう配置されている。
【００１１】
図４が図示しているのは、第１の実施形態の通信装置１００の開いた状態の斜視図である。本体部１１０とディスプレイ部１３０とがほぼ１２０°の角度をなして配置されて示されている。これらは断続線により示された回転軸を持つヒンジ１２０により適当な配置に保たれている。このようにディスプレイ１４０に対し斜めから見ると、画像１７０と画像１７５とが見える。画像「ａ」１７０がディスプレイ１４０の左上隅に確認され、画像「７」１７５がディスプレイ１４０右側の上面と底面との中ほどに見え、これらはちょうど、通信装置１００が閉じた状態のときにディスプレイ１４０のもう一方の面で確認されていた通りである。これらの画像は開口部１３４（図１及び図３）を通して見える。ここでスイッチ１６０（図１）が二つに分かれていることが分かる。ディスプレイ部１３０にディスプレイ側スイッチ１６３があり、本体部１１０に本体側スイッチ１６２がある。ディスプレイ側のスイッチ１６３と本体側のスイッチ１６２とが、互いの上方にあるよう、
又は、通信装置１００が閉じた状態のときには互いに接触しているよう配置されている。
【００１２】
図５が図示しているのは、通信装置１００のディスプレイ１４０の第１の実施形態の層の略側面図である。開口部１３４の上方とディスプレイ部１３０の一部の上方とに内側透過‐反射双安定層１４１が配置されている。開口部１３２の下方とディスプレイ部１３０の一部の下方とに外側透過‐反射双安定層１４２がある。内側透過‐反射双安定層１４１と外側透過‐反射双安定層１４２とを形成している透過‐反射双安定材料には、２つのモードがある。一方のモードは透過モードであり、このとき透過‐反射双安定材料が可視領域の波長の幾らか又は全てに対し少なくとも部分的に透明である。他方のモードは反射モードであり、このとき透過‐反射双安定材料が可視領域の波長の幾らか又は全てを反射し、反射されたものが透過‐反射双安定材料に入射する。透過‐反射双安定材料を、電圧パルスが印加され次第、光透過モードから反射モードへと切り換えることができる。更に、透過‐反射双安定材料を、電圧が印加され次第、反射モードから光透過モードへ切り換えることもできる。
【００１３】
透過‐反射双安定材料には、コレステリック液晶及び強誘電性液晶があるが、これらに制限されていない。コレステリック液晶は、一つの軸に沿ってかなりの度合いでねじれたカイラルな分子である。コレステリック液晶にはこの軸に沿った周期性がある。コレステリック液晶が反射モードになるのは液晶がプレーナ状態のときである。コレステリック液晶が透過モードになるのは液晶がフォーカルコニックモードのときである。コレステリック液晶を、電圧のパルスが印加され次第一方のモードから他方のモードへと切り換えることができる。一例として、コレステリック液晶のモードを切り換えるには１０〜２０ミリ秒に亘り５０Ｖのパルスで十分である。
【００１４】
強誘電性液晶は透過‐吸収双安定材料である。強誘電性液晶は、一方のモードでは可視領域の波長の幾らか又は全てに対し少なくとも部分的に透明であり、他方のモードでは可視領域の波長の幾らか又は全てに対し吸収性である。透過‐吸収双安定材料のディスプレイ１４０には、最も良く画像を見せる為に背面照射が必要な場合もある。
【００１５】
ディスプレイ１４０では、内側透過‐反射双安定層１４１が透過モードのとき、外側透過‐反射双安定層１４２は反射モードである。内側透過‐反射双安定層１４１が反射モードのとき、外側透過‐反射双安定層１４２は透過モードである。内側透過‐反射双安定層１４１と外側透過‐反射双安定層１４２との間にはＬＣＤ積層１４７があり、これは、内側偏光子層１４３と、内側ガラス層１４４と、外側ガラス層１４５と、外側偏光子層１４６とから成っている。内側ガラス層１４４と外側ガラス層１４５との間の層には画像を生成するための画素（図示せず）がある。ＬＣＤは、当業者に既知のように、画像をディスプレイするよう設計され制御されている。図５に図示されたディスプレイ部１３０の断面には、層１４１〜層１４６の積み重ねがディスプレイ部１３０の所定の位置にある。別の実施形態では（図示せず）、ディスプレイ１４０を見やすくする為及び／又は保護する為、開口部１３２及び開口部１３４に、レンズ又は光学的に透明な材料、例えばガラスや水晶などが配置される場合がある。
【００１６】
内側透過‐反射双安定層１４１にモード切り換え電圧を印加するよう電極１５２と電極１５３とが動作可能である。電極１５２及び電極１５３はインジウムスズ酸化物又は別の透明な金属からできているものでよく、内側透過‐反射双安定層１４１の一方の面に接触している。外側透過‐反射双安定層１４２にモード切り換え電圧を印加するよう電極１５４と電極１５５とが動作可能である。ある配列では、内側透過‐反射双安定層１４１と外側透過‐反射双安定層１４２とに同時に電圧が印加され、これにより、内側透過‐反射双安定層１４１と外側透過‐反射双安定層１４２とが同時にモードを切り換えるので、反射性材料の層と透過性材料の層とがいつでも一層ずつ提供される。よって、内側透過‐反射
双安定層１４１又は外側透過‐反射双安定層１４２のどちらか一方がディスプレイの反射層としての役割を果たす。図１及び図２では、内側透過‐反射双安定層１４１が反射性であり、外側透過‐反射双安定層１４２が光透過性である。図３及び図４では、内側透過‐反射双安定層１４１が光透過性であり、外側透過‐反射双安定層１４２が反射性である。しかし、本発明はこれに制限されておらず、この切り替えは非同時でもよい。
【００１７】
電極１５６は、当業者に既知のような、ＬＣＤ積層１４７の画素を制御するように動作可能な電極のアレイの一部である。電極１５２〜１５６は、金、スズ、アルミニウム、銀、ニッケル、チタン、それらの合金、それらの組み合わせなどから作られたものでよい。
【００１８】
図６が図示しているのは、通信装置１００のディスプレイ部１３０のディスプレイ１４９の層の略側面図である。ディスプレイ１４９がディスプレイ１４０（図５）とは異なるのは、外側透過‐反射双安定層１４２と外側偏光子１４６との間に光ガイド１４８が付加されている点である。図５に見られるように、開口部１３４の上方とディスプレイ部１３０の一区分の上方とに内側透過‐反射双安定層１４１が配置されている。開口部１３２の下方に外側透過‐反射双安定層１４２がある。ディスプレイ１４９では、内側透過‐反射双安定層１４１が透過モードのとき、外側透過‐反射双安定層１４２は反射モードである。内側透過‐反射双安定層１４１が反射モードのとき、外側透過‐反射双安定層１４２は透過モードである。内側透過‐反射双安定層１４１と外側透過‐反射双安定層１４２との間にはＬＣＤ積層１４７があり、これは、内側偏光子層１４３と、内側ガラス層１４４と、外側ガラス層１４５と、外側偏光子層１４６とから成っている。外側偏光子１４６の上方且つ外側透過‐反射双安定層１４２の下方に光ガイド１４８がある。光ガイド１４８は、当業者に既知のように、発光ダイオード（ＬＥＤ）（図示せず）から光ガイド１４８の端部につなげられた光を伝える。この光が反射面（内側透過‐反射双安定層１４１又は外側透過‐反射双安定層１４２）から散乱されて画像を照明する。これが必要なのは、観察者が画像を見るには周辺光が不十分なときである。光ガイド１４８を通って伝搬する光は、光ガイド１４８と外側透過‐反射双安定層１４２との間のブラッグ反射グレーティング（図示せず）により光ガイドから散乱される。図６では、外側透過‐反射双安定層１４２が光ガイド１４８に取り付けられており、液晶の周期的な間隔がちょうど光ガイド１４８の光の間隔であれば、外側透過‐反射双安定層１４２の周期構造が、光ガイド１４８からの光をつなぐブラッグ回折格子として機能する。光ガイド１４８は、通信装置１００が開いた状態のときにはバックライトとして機能し、通信装置１００が閉じた状態のときにはフロントライトとして機能する。
【００１９】
予見しうる本発明の他の実施形態では、ディスプレイ１４９内部の内側透過‐反射双安定層１４１と内側偏光子１４３との間に第２の光ガイドが備えられている。このような実施形態では、本体部１１０に対するディスプレイ部１３０の位置に依存して透過‐反射双安定層１４１と１４２とのどちらか一方にＬＥＤが連結するよう動作してもよい。通信装置１００の本体部１１０に対するディスプレイ部１３０の回転時に、ＬＥＤに隣接している機械的なスイッチがＬＥＤの連結位置を変えるよう動作してもよい。このような実施形態では、通信装置が閉じた状態のときには付加された方の光ガイドがバックライトとして働き、開いた状態では光ガイド１４８がバックライトとして働く。
【００２０】
図６に図示されたディスプレイ部１３０の断面には、層１４１〜層１４６及び層１４８の積み重ねがディスプレイ部１３０内の所定の位置にある。別の実施形態（図示せず）では、見やすくなるよう及び／又はディスプレイ１４９を保護するよう、レンズ又は光学的に透明な材料、例えばガラスや水晶などが、開口部１３２及び開口部１３４に配置される場合がある。
【００２１】
内側透過‐反射双安定層１４１に切り換え電圧を印加するよう電極１５２と電極１５３
とが動作可能である。外側透過‐反射双安定層１４２に切り換え電圧を印加するよう電極１５４と電極１５５とが動作可能である。電極１５６は、当業者に既知のように、ＬＣＤ積層１４７の画素を制御するように動作可能な電極のアレイの一部である。内側透過‐反射双安定層１４１と外側透過‐反射双安定層１４２とに同時に電圧が印加され、これにより、内側透過‐反射双安定層１４１と外側透過‐反射双安定層１４２とが同時にモードを切り換えるので、反射性材料の層と透過性材料の層とがいつでも一層ずつ提供される。よって、内側透過‐反射双安定層１４１又は外側透過‐反射双安定層１４２のどちらか一方がディスプレイの反射層としての役割を果たす。図１及び図２では、内側透過‐反射双安定層１４１が反射性であり、外側透過‐反射双安定層１４２が光透過性である。図３及び図４では、内側透過‐反射双安定層１４１が光透過性であり、外側透過‐反射双安定層１４２が反射性である。しかし、本発明はこれに制限されておらず、この切り替えは非同時でもよい。
【００２２】
通信装置１００の本体部１１０とディスプレイ部１３０とが閉じた状態へと又は閉じた状態から回転されたとき、内側透過‐反射双安定層１４１と外側透過‐反射双安定層１４２とにスイッチ１６０（図１）が切り換え電圧を図５と図６の両図で同時に印加する。よって、ディスプレイ１４０は、本体部１１０（図１〜図４）とディスプレイ部１３０（図１〜図４）との相対位置に依存して、ディスプレイ１４０の一方の面又は他方の面に画像１７０と画像１７５とを表示するように動作可能である。
【００２３】
一方の画像のセットが他の他方の画像のセットに対して逆さになることなく、図１〜図２に示されているように通信装置１００の外面と、図３〜図４に示されているように通信装置１００の内面との両面から画像が見えるよう、一方の画像のセットをヒンジ１２０（図１〜図４）の回転軸と平行な軸を中心に回転させる。画像は、文字や、数や、写真画像や、ビデオ画像などでよい。
【００２４】
画像が、文字や数などのテキストの行から成っている場合には、各文字と各テキストの行とを、各文字又は数が画像である画像のセットと考えればよい。画像のセットをヒンジ１２０の回転軸と平行な軸を中心に回転させる必要がある。加えて、回転時に、表示画像の一番上の行の文字と数とを表示画像の一番下の行に移動させる必要もある。回転時にディスプレイの二行目の文字と数とを表示画像の下から二行目に移動させる、といったように、ディスプレイの真ん中の行に達するまで、ディスプレイの行毎に移動させる必要がある。奇数の行のテキストの場合、例えば、Ｎ行でＮが奇数の場合は、［（（Ｎ−１）／２）＋１］行目が回転の前後で画像の同一の位置にくる。このプロセスを以下に更に詳しく記載する。
【００２５】
画像が映像や写真画像の場合は、テキストの場合に画像のセットが回転されたのと同じように画像の画素の行を回転させる必要がある。開口部１３２と開口部１３４（図１）とで形状及びサイズが異なる場合、完全な画像を同一の形状係数で各開口部１３２にも１３４にも収めるならば、画像の回転には増倍率を付加する必要がある。
【００２６】
図７がブロック図で図示しているのは、スイッチ１６０とディスプレイ１４０との相互作用である。ディスプレイ部１３０に対する本体部１１０の回転時に、スイッチが作動する。スイッチ１６０の作動と同時に、通信装置１００内部の電源１８０がスイッチから反転モードの信号を受信する。反転モードの信号をスイッチ１６０から受信し次第、電源１８０が、ディスプレイ１４０の内側透過‐反射双安定層１４１と外側透過‐反射双安定層１４２とに電圧のパルスを同時に印加する。これらの印加されたパルスが電源１８０からディスプレイ１４０への矢印二つの線により示されている。内側透過‐反射双安定層１４１と外側透過‐反射双安定層１４２とに印加されたそれぞれの電圧パルスが、内側透過‐反射双安定層１４１のモードと外側透過‐反射双安定層１４２のモードとを切り換える。
モードを同時に切り換えることで、常に反射層と光透過層とが必ず一つずつあることが確実になる。通信装置１００は、通信装置１００が閉じた状態のとき、内側透過‐反射双安定層１４１が反射性で外側透過‐反射双安定層１４２が透過性であるよう構成されればよい。モードの切り換えは同時に起こる必要はないものの、急速に移行することが望まれる本発明の実施形態があり、一方、本発明の他の実施形態ではモードが非同時に切り換わることが意図されている。
【００２７】
更に、スイッチ１６０の作動と同時に、通信装置１００内部の制御装置１９０が回転モード信号をスイッチ１６０から受信する。制御装置１９０のある機能は、ディスプレイ１４０上に見える画像中の画像のセットを認識することである。画像のあるセットが、例えばテキストの行の場合がある。画像のこのセットは、制御装置１９０に電気的に接続されたメモリ１９１に保存されている。メモリ１９１はプロセッサの一部でよい。画像が変わるとメモリに保存されている画像が更新されるので、この画像認識のプロセスは周期的に起こる。制御装置１９０の別の機能は、回転時にディスプレイ上で確認される画像のセットを通信装置１００が開いた状態のときも閉じた状態のときも同一にするべく、ディスプレイ１４０上に見える画像のセット中の画像と画像の行とをどのように回転させるかを決定することである。制御装置１９０はディスプレイ回路２００に電気的に接続されており、このディスプレイ回路２００はディスプレイ１４０（及びディスプレイ１４９）の画素を制御する。この画素アレイには幾つかの電極があり、これらの電極は、ディスプレイ回線２００からディスプレイ１４０への複数の矢印により概略的に示されている。スイッチ１６０からの回転モード信号が制御装置１９０に受信されたとき、制御装置１９０が、ディスプレイ１４０／１４９上に現在見えている認識された画像と画像のセットとについて、更新された保存画像をメモリから検索する。その後、制御装置１９０が、画像を前述したように回転させる為にディスプレイ回路２００をどのように修正するかを決定する。その後、ディスプレイ回路２００に電気的に接続されている制御装置１９０が、入力をディスプレイ回路２００に送り、ディスプレイ回路２００が、ディスプレイ１４０／１４９上の画像のセットを、前述したように回転させる。
【００２８】
図８が概略的に図示しているのは、通信装置１００の電気スイッチ１６１の第１の実施形態である。通信装置１００の本体部１１０が通信装置１００のディスプレイ部１３０にヒンジ１２０で取り付けられている。側面から見ると接続ヒンジ１２０には中心領域１２５がある。回転軸（図示せず）がヒンジ１２０に対して垂直であり中心領域１２５を貫通している。
【００２９】
図９が概略的に図示しているのは、通信装置１００が開いた状態のときの図８の電気スイッチ１６１の第１の実施形態である。本体部１１０とディスプレイ部１３０とが接続ヒンジ１２０を中心に回転した状態であり、ヒンジ１２０はその中心領域１２５に対して垂直な回転軸（図示せず）を有している。この電気スイッチ１６１は、ディスプレイ部１３０にあるディスプレイ側スイッチ１６３と、本体部１１０にある本体側スイッチ１６２とから成っている。ディスプレイ側スイッチ１６３と本体側スイッチ１６２とが、通信装置１００が閉じた状態のときには互いに接触するよう、且つ、通信装置１００が開いた状態のときには互いに接触しないよう配置されている。ディスプレイ側スイッチ１６３と本体側スイッチ１６２とが接触したとき又は接触状態から解放されたときに、電子スイッチ１６１（図８）が作動する。よって電気スイッチ１６１（図８）が作動するのは、接続ヒンジ１２０を中心に回転することにより、本体部１１０とディスプレイ部１３０とが互いに近づくときと、本体部１１０とディスプレイ部１３０とが互いに遠ざかるよう回転されたときである。本体部１１０とディスプレイ部１３０とが互いに近づく又は互いに遠ざかるよう回転されるたびに、スイッチが作動し、電源１８０が電圧のパルスをディスプレイ１４０の内側透過‐反射双安定層１４１と外側透過‐反射双安定層１４２（図５）とに送る。制御装置１９０が、更新され識別された画像をメモリ１９１から検索し、更新され識別
された画像を回転させる為にどのようにディスプレイ回路２００を修正すべきかを決定し、ディスプレイ１４０上の画像を回転させる為にディスプレイ回路２００への入力を修正する。これら全てが機能することで、通信装置１００のディスプレイ１４０の観察者に、本体部１１０とディスプレイ部１３０との互いに対する回転の前後で同一の画像が提供される。
【００３０】
図１０が概略的に図示しているのは、通信装置１００の磁気式スイッチ１６４の実施形態である。通信装置１００の本体部１１０が通信装置１００のディスプレイ部１３０にヒンジ１２０で取り付けられている。側面から見ると接続ヒンジ１２０には中心領域１２５がある。回転軸（図示せず）がヒンジ１２０に対して垂直であり中心領域１２５を貫通している。
【００３１】
図１１が概略的に図示しているのは、通信装置１００が開いた状態のときの図１０の磁気式スイッチ１６４の実施形態である。本体部１１０とディスプレイ部１３０とが接続ヒンジ１２０を中心に回転した状態であり、ヒンジ１２０はその中心領域１２５に対して垂直な回転軸（図示せず）を有している。この磁気式スイッチ１６４は、ディスプレイ部１３０にあるディスプレイ側スイッチ１６６と、本体部１１０にある本体側スイッチ１６５とから成っている。ディスプレイ側スイッチ１６６と本体側スイッチ１６５とが、通信装置１００が閉じた状態のときには互いの上方に近接して位置するよう、且つ、通信装置１００が開いた状態のときには互いの上方に近接して位置しないように配置されている。ディスプレイ側スイッチ１６６と本体側スイッチ１６５とが互いの上方に近接した位置になったとき、又は互いの上方に近接した位置になくなったとき、磁気式スイッチ１６４（図１０）が作動する。よって、磁気式スイッチ１６４（図１０）は、接続ヒンジ１２０を中心とした回転により、本体部１１０とディスプレイ部１３０とが互いに近づくたび、更に、本体部１１０とディスプレイ部１３０とが互いに遠ざかるよう回転されるたびに、作動する。本体部１１０とディスプレイ部１３０とが互いに近づく又は互いに遠ざかるよう回転される毎に、磁気式スイッチ１６４が作動し、電源１８０が電圧のパルスをディスプレイ１４０の内側透過‐反射双安定層１４１と外側透過‐反射双安定層１４２（図５）とに送る。制御装置１９０が、更新され識別された画像をメモリ１９１から検索し、更新され識別された画像を回転させる為にどのようにディスプレイ回路２００を修正すべきかを決定し、ディスプレイ１４０上の画像を回転させるようディスプレイ回路２００への入力を修正する。これら全てが機能することで、通信装置１００のディスプレイ１４０の観察者に、本体部１１０とディスプレイ部１３０との互いに対する回転の前後で同一の画像が提供される。
【００３２】
図７に概説されている相互作用を、スイッチ１６０（図１）やスイッチ１６１（図８）やスイッチ１６４（図９）などと、ディスプレイ１４０（図５）やディスプレイ１４９（図６）やディスプレイの別の異なった実施形態との相互作用の説明にも利用できる。この通信装置１００内部で他のタイプのスイッチを使用して本明細書で動作可能なよう記載されたように動作させてもよく、これらのスイッチには、機械的なスイッチ、圧電スイッチ、空気スイッチ、形状記憶を基礎としたスイッチ、ソレノイドを基礎としたスイッチなどがあるが、これらに限定されない。
【００３３】
通信装置１００の図示された実施形態は、ディスプレイ１４０のどちらの面でも画像（１７０、１７５）を提供する構造及び方法の図示を企図したものであり、画像（１７０、１７５）が表示される面が通信装置１００の本体部１１０に対するディスプレイ部１３０の位置に依存しており、あらゆる可能性に対し網羅的であることや前述の目的の為に作られ得るものを制限することは意図していない。当業者には、ＬＣＤ装置に代えて、ＬＣＤ装置の代わりにＬＣＯＳ装置が用いられてもよいことが分かる。従って、非常に多くの他の可能な組み合わせと実施形態とが存在する。本明細書に示され記載されたものを用いる
ことにより、両面ディスプレイ１４０を通信装置１００に組み込むことができ、通信装置１００には、携帯電話機、ＰＤＡ、全地球測位システム、ラップトップコンピュータ、デジタルカメラ、カムコーダ、車や飛行機などの車両のビデオ画面、テレビ受像機、コンピュータ画面、他のこういった通信装置などがある。従って、当業者には、装置の構造１００の実施形態を非常に多くの様々な装置で用いることの利益が分かる。
【００３４】
前述の明細書において、本発明が特殊な実施形態に関して記載された。しかし、当業者には、本発明の範囲から逸脱することなく、以下の請求項に述べられている通りに、種々の修正及び変更が可能なことが分かる。それに応じて、本明細書及び図は限定的な意味ではなく説明的な意味において考えられるべきものであり、あらゆるこのような修正が本発明の範囲内にあるよう意図されている。
【図面の簡単な説明】
【００３５】
【図１】１の実施形態の通信装置の閉じた状態の側面図。
【図２】第１の実施形態の通信装置の閉じた状態の斜視図。
【図３】第１の実施形態の通信装置の開いた状態の側面図。
【図４】第１の実施形態の通信装置の開いた状態の斜視図。
【図５】通信装置の第１の実施形態のディスプレイの層の略側面図。
【図６】通信装置の第２の実施形態のディスプレイの層の略側面図。
【図７】スイッチ及びディスプレイの相互作用の実施形態のブロック図。
【図８】通信装置の第１の実施形態のスイッチの閉じた状態での略図。
【図９】通信装置の第１の実施形態のスイッチの開いた状態での略図。
【図１０】通信装置の第２の実施形態のスイッチの閉じた状態での略図。
【図１１】通信装置の第２の実施形態のスイッチの開いた状態での略図。
【図１】
2007501422.tif 000003
【図２】
2007501422.tif 000004
【図３】
2007501422.tif 000005
【図４】
2007501422.tif 000006
【図５】
2007501422.tif 000007
【図６】
2007501422.tif 000008
【図７】
2007501422.tif 000009
【図８】
2007501422.tif 000010
【図９】
2007501422.tif 000011
【図１０】
2007501422.tif 000012
【図１１】
2007501422.tif 000013
【国際調査報告】
2007501422.tif 000014
2007501422.tif 000015